(57)【要約】      （修正有）【課題】延長ケーブルソケットに用いるスイッチモジュール組み立て構造を提供する。【解決手段】スイッチモジュール組み立て構造は、殻体６と、該殻体下方に設ける基台と、該基台に設け、殻体内の電気部材と電気接続する第１接触クランプ８、第２接触クランプ９及び電気接触部材１０６とを含み、前記基台は、両側辺にそれぞれ第１Ａ組み合わせ構造１０Ａ及び第１Ｂ組み合わせ構造１０Ｂを設け、前記第１接触クランプ及び第２接触クランプの側辺は、それぞれ第２Ａ組み合わせ構造８Ａ及び第２Ｂ組み合わせ構造９Ａを有し、該第１接触クランプは、その第２Ａ組み合わせ構造に前記第１Ａ組み合わせ構造を合わせることにより側辺から基台一側に挿入して組み合わさり、該第２接触クランプは、その第２Ｂ組み合わせ構造に前記第１Ｂ組み合わせ構造を合わせることにより側辺から基台他側に挿入し組み合わされる。【選択図】図１
0003173546.tif 000002
【実用新案登録請求の範囲】
【請求項１】
内部に電気部材を設ける殻体と、
該殻体下方に設けられ、該基台の側辺に第１Ａ組み合わせ構造及び第１Ｂ組み合わせ構造を設ける基台と、
側辺に第２Ａ組み合わせ構造を設け、該第２Ａ組み合わせ構造が該基台の側辺から該第１Ａ組み合わせ構造と相互に組み合わせ固定される第１接触クランプと、
側辺に第２Ｂ組み合わせ構造を設け、該第２Ｂ組み合わせ構造が該基台の側辺から該第１Ｂ組み合わせ構造と相互に組み合わせ固定される第２接触クランプと、
を含むスイッチモジュール組み立て構造。
【請求項２】
前記第１Ａ組み合わせ構造は、該基台上に該基台の第１側に向けた挿入溝を設け、該挿入溝の相対する両側の基台上にそれぞれ第１滑動溝及び第１凹溝を設け、前記第２Ａ組み合わせ構造は、該第１接触クランプに後平面を設置し、該後平面の一側辺に第１凸ブロックを設け、該後平面の端部は、該第１滑動溝に沿って該平面の側辺を該挿入溝に挿入させ、更に、該第１凸ブロックを湾折して該第１凹溝に進入させ、該第１Ａ組み合わせ構造及び第２Ａ組み合わせ構造の組み合わせ固定を完成する請求項１に記載のスイッチモジュール組み立て構造。
【請求項３】
前記第１Ｂ組み合わせ構造は、該基台上の第２側に２つのＬ形凸ブロック、及び少なくとも１つの第１凹溝を設け、該２つのＬ形凸ブロックは、２つの第２滑動溝を構成し、前記第２Ｂ組み合わせ構造は、該第２接触クランプの側辺に少なくとも１つの第２凸ブロックを設置し、該第２接触クランプの側辺は、該第２滑動溝に沿って滑り込み、更に、該第２凸ブロックを湾折させて該第２凹溝に進入させ、該第１Ｂ組み合わせ構造及び第２Ｂ組み合わせ構造の組み合わせ固定を完成する請求項１に記載のスイッチモジュール組み立て構造。
【請求項４】
前記第１Ｂ組み合わせ構造は、異なる方向に設ける２つの前記第２凹溝を含み、該第２Ｂ組み合わせ構造は、該第２接触クランプの異なる側辺に設ける２つの第２凸ブロックを含む請求項３に記載のスイッチモジュール組み立て構造。
【考案の詳細な説明】
【技術分野】
【０００１】
本考案は、スイッチモジュール組み立て構造に関し、特に、延長ケーブルソケットに用いるスイッチモジュール組み立て構造に関する。
【背景技術】
【０００２】
現在、社会文明の発展及び技術の進歩に従い、家電の品種は、日増しに増え、品質が絶えず向上され、それは、人々の生活に便利及び歓楽をもたらすためであり、絶えず人々の生活に影響及び変化を与え、一般の住居又は電気機器を使用する場所に縁があり、多くは、固定位置に設置される電源コンセントであり、それは、電気機器の位置が遠すぎ且つ自身の電源ケーブル長が不十分であれば、延長ケーブルを使用するが、延長ケーブルは、多くの電気機器に同時に使用を提供するために、複数のソケット孔の方式を結合している。従来の延長ケーブルは、複数のソケット孔を並列し、使用時にプラグを電源ソケットに挿入し、電気接続後、ソケット孔を利用し、使用するプラグ数を増加させることができる。しかしながら、一般に民衆が延長ケーブルを使用する時、ソケットを延長ケーブル上に直接挿入するので、該電気機器を使用していなくても、電気機器の電気ケーブルループと延長ケーブルのループが導通して漏電流による電力消耗を有し、不要な電量を浪費している。この時、該ループ上にスイッチボタンを設ければ、該浪費電量の問題を解決することができ、更に、子供が不注意で延長ケーブルに接触して感電し得る危険を予防することができる。
【０００３】
従来のループ上にスイッチボタンを設けたスイッチモジュールは、大部分が殻体下方に設けられて殻体内に設けられる電気部材と電気接続する第１接触クランプ、第２接触クランプ及び電気接触部材を含み、該スイッチモジュールが延長ケーブルに組み付けられる時、該第１接触クランプ、第２接触クランプ及び電気接触部材は、何れも延長ケーブルの導電部と電気接続し、前記スイッチボタンに設けられる導電構造は、第１接触クランプ及び電気接触部材との接触を保持するが、該スイッチボタンを操作し、その導電構造及び第２接触クランプと接触するか否かを制御することができ、スイッチボタンの導電構造及び第１接触クランプ、第２接触クランプと接触し、電気接触部材と同時に接触する時、電流を導通することができる。スイッチボタンの導電構造は、第１接触クランプ及び電気接触部材のみが同時に接触する時、電流を導通することができない。
【０００４】
前記従来のスイッチモジュールの第１接触クランプ及び第２接触クランプが殻体に組み合わさる方式は、下から上へ挿入設置して組み合わさるので、比較的複雑な固定構造を必要とし、それを殻体に固定する必要があり、そうでなければ、第１接触クランプ及び第２接触クランプが容易に殻体から離脱し、製造コストが高くなる。
【先行技術文献】
【特許文献】
【０００５】
【特許文献１】特開平１０−１４９７４０号公報
【考案の概要】
【考案が解決しようとする課題】
【０００６】
本考案者は、上記の現有の欠点に鑑み、積極的に改良に着手従事し、上記の問題を解決すべく、絶え間ない試作及び努力を経て、ようやく本考案を開発している。
【０００７】
本考案の目的は、従来のスイッチモジュールの第１接触クランプ及び第２接触クランプが殻体に組み合わさる方式において、下から上へ挿入設置して組み合わさり、比較的複雑な固定構造を殻体に固定する必要があり、製造コストが高くなるという問題を解決することにある。
【課題を解決するための手段】
【０００８】
本考案のスイッチモジュール組み立て構造は、殻体と、該殻体下方に設ける基台と、該基台に設け、殻体内の電気部材と電気接続する第１接触クランプ、第２接触クランプ及び電気接触部材と、を含み、前記基台は、両側辺にそれぞれ第１Ａ組み合わせ構造及び第１Ｂ組み合わせ構造を設け、前記第１接触クランプ及び第２接触クランプの側辺は、それぞれ第２Ａ組み合わせ構造及び第２Ｂ組み合わせ構造を有し、該第１接触クランプは、その第２Ａ組み合わせ構造に前記第１Ａ組み合わせ構造を合わせることにより側辺から基台一側に挿入して組み合わさり、該第２接触クランプは、その第２Ｂ組み合わせ構造に前記第１Ｂ組み合わせ構造を合わせることにより側辺から基台他側に挿入し組み合わさる。
【０００９】
本考案は、基台の第１Ａ組み合わせ構造に設けられ、基台上に該基台の第１側に向かう挿入溝を設け、該挿入溝の相対する両側の基台上にそれぞれ第１滑動溝及び第１凹溝を設ける。本考案の第１接触クランプに設けられる第２Ａ組み合わせ構造は、該第１接触クランプに後平面を設置し、該後平面の一側辺に第１凸ブロックを設け、該後平面の端部が該第１滑動溝に沿って滑り込み、該後平面の側辺を該挿入溝に挿入させ、更に、該第１凸ブロックを湾折させて該第１凹溝に進入させ、該第１Ａ組み合わせ構造及び第２Ａ組み合わせ構造の組み合わせ固定を完成する。
【００１０】
本考案は、基台の第１Ｂ組み合わせ構造に設けられ、該基台上の第２側に２つのＬ形凸ブロック、及び少なくとも１つの第２凹溝を設け、該２つのＬ形凸ブロックは、２つの第２滑動溝を構成する。本考案は、第２接触クランプの第２Ｂ組み合わせ構造に設けられ、該第２接触クランプの側辺に少なくとも１つの第２凸ブロックを設置し、該第２接触クランプの側辺は、該第２滑動溝に沿って滑り込み、更に、該第２凸ブロックを湾折させて該第２凹溝に進入させ、該第１Ｂ組み合わせ構造及び第２Ｂ組み合わせ構造の組み合わせ固定を完成する。
【００１１】
本考案の基台に設けられる第１Ｂ組み合わせ構造は、異なる方向に設けられる２つの前記第２凹溝を含むことができ、第２接触クランプに設けられる第２Ｂ組み合わせ構造は、該第２クランプの異なる側辺に設けられる２つの第２凸部ブロックを含むことができ、第２接触クランプが基台に組み合わさった後、各第２凸ブロックは、各第２凹溝に対応し、更に、各第２凸ブロックを湾折して各第２凹溝に進入させ、第２接触クランプを基台に固定する。
【考案の効果】
【００１２】
本考案の特長は、側辺挿入設置組み合わせの方式を利用し、第１接触クランプ及び第２接触クランプをそれぞれ殻体に組み合わせ、それに比較的簡易化された構造で第１接触クランプ及び第２接触クランプと、殻体と、を固定させ、製造コストを低減することができる。
【図面の簡単な説明】
【００１３】
【図１】本考案の実施例の立体分解図である。
【図２Ａ】本考案の実施例のスイッチ下ソケット及びランプを組み合わせた後の立体拡大図である。
【図２Ｂ】本考案の実施例のスイッチ下ソケット及びランプを組み合わせた後の立体拡大図である。
【図３】本考案の実施例の基台の第１Ａ組み合わせ楮及び第１接触クランプの第２Ａ組み合わせ構造の組み合わせ関係の立体分解図である。
【図４】本考案の実施例の基台の第１Ｂ組み合わせ構造及び第２接触クランプの第２Ｂ組み合わせ構造の組み合わせ関係の立体分解図である。
【図５】本考案の実施例の断面図である。
【図６】本考案の実施例の断面図である。
【考案を実施するための形態】
【００１４】
本考案の特長は、本考案の図面及び実施例の詳細な説明を参照し、明確な理解を獲得することができる。
【００１５】
図１を参考にし、本考案のスイッチモジュール組み立て構造は、スイッチ上蓋１と、ランプ２と、スイッチ下ソケット３と、大バネ４と、小バネ５と、殻体６と、接触片７と、第１接触クランプ８と、第２接触クランプ９と、基台１０と、を含む。該スイッチ下ソケット３は、両側が高く、中心が低いＵ形溝状であり、該ランプ２は、該中心溝箇所に取り付けることができ、該溝内に設けられる２つのクランプブロック３１により挟持され、該ランプ２の導線２１及び導線２２は、それぞれスイッチ下ソケット３両端に設けられる辺溝３２及び辺溝３３から該スイッチ下ソケット３の下方まで延伸する（図２Ａ及び図２Ｂ参照）。該スイッチ下ソケット３下底面に中心柱３４及び側辺カバー柱３５を設け、前記大バネ４一端は、該中心柱３４上に被せ設けられ、小バネ５は、該側辺カバー柱３５内に被せ設けられ、また、導線２１は、該大バネ４と固定して電気接触し、且つ導線２２は、小バネ３５と固定して電気接触する。前記ランプ２、スイッチ下ソケット３、大バネ４、小バネ５、接触片７、第１接触クランプ８、第２接触クランプ９及び基台１０は、何れも該殻体６内に組み付けられ、殻体６内の電気部材を構成する。
【００１６】
図３及び図４に示すように、本考案の基台１０は、殻体６の下方に設けることに用い、その好適実施例は、基台１０の両側辺にそれぞれ第１Ａ組み合わせ構造１０Ａ及び第１Ｂ組み合わせ構造１０Ｂを設ける。該第１Ａ組み合わせ構造１０Ａは、基台１０上に該基台第１側に向く挿入溝１０Ａ１を設け、該挿入溝１０Ａ１の相対する両側の基台１０上の第２側に２つのＬ形凸ブロック１０Ｂ１、及び少なくとも１つの第２凹溝１０Ｂ３を設け、該２つのＬ形凸ブロック１０Ｂ１は、２つの第２滑動溝１０Ｂ２を構成する。本考案の好適実施例では、第１Ｂ組み合わせ構造１０Ｂに異なる方向に位置する２つの第２凹溝１０Ｂ３を設置する。
【００１７】
また、図３に示すように、本考案の第１接触クランプ８は、基台１０の第１Ａ組み合わせ構造１０Ａと相互に組み合わせ固定することに用いる第２Ａ組み合わせ構造８Ａを設け、該第２Ａ組み合わせ構造８Ａの好適実施例は、該第１接触クランプ８一体に後平面８Ａ１を延伸設置し、該後平面８Ａ１の一側辺は、第１凸ブロック８Ａ２を設ける。第１接触クランプ８を基台１０に組み合わせる時、該後平面８Ａ１の端部を基台１０の第１滑動溝１０Ａ２に沿って滑り込ませ、後平面８Ａ１の側辺を該挿入溝１０Ａ１に挿入させ、第１凸ブロック８Ａ２の第１凹溝１０Ａ３に対応する位置まで達した後、更に、第１凸ブロック８Ａ２を湾折して第１凹溝１０Ａ３に進入させ、第１Ａ組み合わせ構造１０Ａ及び第２Ａ組み合わせ構造８Ａの組み合わせ固定を完成し、第１接触クランプ８は、基台１０から離脱することができない。
【００１８】
また、図４に示すように、本考案の第２接触クランプ９は、基台１０の第１Ｂ組み合わせ構造１０Ｂと相互に組み合わせ固定することに用いる第２Ｂ組み合わせ構造９Ａを設け、該第２Ｂ組み合わせ構造９Ａの好適実施例は、該第２接触クランプ９の側辺が基台１０の第２滑動溝１０Ｂ２に沿って滑り込み、各第２凸ブロック９Ａ１を基台１０の第２凹溝１０Ｂ３の位置に対応させた後、更に、各第２凸ブロック９Ａ１を湾折して第２凹溝１０Ｂ３に進入させ、該第１Ｂ組み合わせ構造１０Ｂ及び第２Ｂ組み合わせ構造９Ａの組み合わせ固定を完成し、第２接触クランプ９は、基台１０から離脱することができない。
【００１９】
本考案は、更に電気接触部材１０６を提供し、プロセスにおいて、基台１０の長形孔１０２下方から挿入した後、更に、電気接触部材１０６上の係止片１０６１を押し伸ばし、それを該長形孔１０２の側辺に寄せて該電気接触部材１０６を脱落させないようにし、続いて、接触片７を該電気接触部材１０６上に安置させることができる。
【００２０】
続いて、殻体６を第１接触クランプ８及び第２接触クランプ９を結合した基台１０と組み合わせ接合し、この時、該第１接触クランプ８及び該第２接触クランプ９は、殻体６両側の方形切欠き６１から伸出する。基台１０及び殻体６が接合後、更に、小バネ５の一端を第１接触クランプ８の後平面８２上に固定し、大バネ４の他端は、接触片７の底面７１上に固定設置され、最後に、スイッチ上蓋１をスイッチ下ソケット３の組み合わせ凸ブロック３６により相互に緊密に結合した後、更に、殻体６中に置き、スイッチ上蓋１の１組の側辺の凸ブロック１１を殻体６の円形凹溝６２に挿入した後、本考案の組み立てを完成する。
【００２１】
図５は、本考案のスイッチの断面図である。図に示すように、スイッチ上蓋１、ランプ２及びスイッチ下ソケット３を組み合わせた後、左側に偏向傾斜させ、この時、スイッチ下ソケット３の中心柱３４は、大バネ４を連動し、接触片７を右方向に傾斜し、接触片７の接触凸点７２を第２接触クランプ９の接触凸点９１と接触させて導電させる。反対に、図６を参考とし、スイッチ上蓋１を右向きに傾斜させ、中心柱３４が大バネ４を連動し、接触片７を左方向に傾斜させ、接触片７の接触凸点７２を第２接触クランプ９の接触凸点９１と離脱させて開放を形成し、導電させないようにする。
【符号の説明】
【００２２】
１  スイッチ上蓋
１１  側辺凸ブロック
２  ランプ
２１  導線
２２  導線
３  スイッチ下ソケット
３１  クランプブロック
３２  辺溝
３３  辺溝
３４  中心柱
３５  側辺カバー柱
３６  組み立て凸ブロック
４  大バネ
５  小バネ
６  殻体
６１  方形切欠き
６２  円形凹溝
７  接触片
７１  底面
７２  接触凸点
８  第１接触クランプ
８Ａ  第２Ａ組み合わせ構造
８Ａ１  後平面
８Ａ２  第１凸ブロック
８  第２接触クランプ
９Ａ  第２Ｂ組み合わせ構造
９Ａ１  第２凸ブロック
９１  接触凸点
１０  基台
１０Ａ  第１Ａ組み合わせ構造
１０Ａ１  挿入溝
１０Ａ２  第１滑動溝
１０Ａ３  第１凹溝
１０Ｂ  第１Ｂ組み合わせ構造
１０Ｂ１  Ｌ形凸ブロック
１０Ｂ２  第２滑動溝
１０Ｂ３  第２凹溝
１０６  電気接触部材
１０６１  係止片
【図１】
0003173546.tif 000003
【図２Ａ】
0003173546.tif 000004
【図２Ｂ】
0003173546.tif 000005
【図３】
0003173546.tif 000006
【図４】
0003173546.tif 000007
【図５】
0003173546.tif 000008
【図６】
0003173546.tif 000009